(57)【要約】【解決手段】  本発明は、光学ポート（２，３）が設けられたノード（Ａ，Ｂ）を有するネットワークで信号伝達するための方法及び構成に関する。光学ポートは、信号損失検出器並びに光出力パワー又は変調制御の実行手段を有する。本発明は、情報の伝達の信号損失検出のための論理を利用する。特に、本発明は、ポート及びノードが接続されたときトポロジー情報の伝達のため利用される。本発明によれば、当該情報は、送信ノードの光出力パワー又は変調をオンオフすることにより送信される。オフにされたポートは、閾値より低い光パワー又は変調信号を提供する。該閾値は論理レベルに対応する。オンにされたポートは、閾値を超える光パワー又は変調信号を提供する。これは、別の論理レベルに対応する。ノード及びポートは、本方法に従って接続することができる。
2005519492.tif 000002
【特許請求の範囲】
【請求項１】
信号検出のための各々の論理とオンオフすることができるレーザーとを有する光学ポート（２，３）が設けられたノード（Ａ，Ｂ）を備えるネットアークで信号伝達するための方法であって、
送信ノード（Ａ）のレーザーをオンオフすることにより隣接するノード（Ｂ）に情報が伝達され、オフにされたレーザーは、閾値より低い、所定の論理レベルに対応する光パワーを提供し、オンにされたレーザーは、前記閾値を超える、別の論理レベルに対応する光パワーを提供する、方法。
【請求項２】
前記信号検出の論理は、前記ノード（Ａ，Ｂ）間のデータ通信を提供するデータチャンネルを介して外部に用意されている、請求項１に記載の方法。
【請求項３】
信号損失検出並びに光出力パワー又は変調信号振幅の制御を行う手段を各々有する光学ポート（２，３）が設けられたノード（Ａ，Ｂ）を有するネットワークで信号伝達するための方法であって、
前記ネットワークのトポロジーが変化したとき、送信ノード（Ａ）のポートの出力パワー又は変調信号振幅を制御することにより、該送信ノード（Ａ）から隣接するノード（Ｂ）に情報が自動的に伝達され、第１の出力パワー又は変調信号振幅は、前記隣接するノード（Ｂ）により受信された第１の光パワー又は変調信号振幅に対応し、該第１の光パワー又は変調信号振幅は、閾値より低くて第１の論理レベルに対応し、第２の出力パワー又は変調信号振幅は、前記隣接するノード（Ｂ）により受信された第２の光パワー又は変調信号振幅に対応し、該第２の光パワー又は変調信号振幅は、前記閾値を超えて第２の論理レベルに対応する、方法。
【請求項４】
前記信号損失検出並びに光出力パワー又は変調信号振幅の制御を行う前記手段は、前記ノード（Ａ，Ｂ）の間でデータ通信を提供するデータチャンネルを介して外部に用意されている、請求項３に記載の方法。
【請求項５】
前記情報は、バイトの符号化を使用することにより伝達される、請求項１乃至４のいずれか１項に記載の方法。
【請求項６】
前記情報は、トポロジー情報を含んでいる、請求項１乃至５のいずれか１項に記載の方法。
【請求項７】
前記トポロジー情報は、ノード同定番号、ポート番号、ＩＰ番号及びＩＰポート番号を含んでいる、請求項６に記載の方法。
【請求項８】
ノード（Ａ）のポート（２，３）をネットワークに接続して、該ネットワークが、信号検出のための各々の論理とオンオフすることができるレーザーとを有する光学ポート（２，３）が設けられたノード（Ａ，Ｂ）を備えるようにする方法であって、
送信ノード（Ａ）のレーザーをオンオフすることにより隣接するノード（Ｂ）に情報が伝達され、オフにされたレーザーは、閾値より低い、所定の論理レベルに対応する光パワーを提供し、オンにされたレーザーは、前記閾値を超える、別の論理レベルに対応する光パワーを提供する、方法。
【請求項９】
前記信号検出の論理は、前記ノード（Ａ，Ｂ）間のデータ通信を提供するデータチャンネルを介して外部に用意されている、請求項８に記載の方法。
【請求項１０】
情報は、バイトの符号化を使用することにより伝達される、請求項８又は９に記載の方法。
【請求項１１】
前記情報は、トポロジー情報を含んでいる、請求項８乃至１０のいずれか１項に記載の方法。
【請求項１２】
前記トポロジー情報は、ノード同定番号、ポート番号、ＩＰ番号及びＩＰポート番号を含んでいる、請求項１１に記載の方法。
【請求項１３】
ノード（Ａ）のポート（Ｔｘ２）をネットワークに接続して、該ネットワークが、信号損失検出並びに光出力パワー又は変調信号振幅の制御を行う手段を各々有する光学ポート（２，３）が設けられたノード（Ａ，Ｂ）を備えるようにする方法であって、
前記ノード（Ａ）が接続されたとき、該接続されたノード（Ａ）のポートの出力パワー又は変調信号振幅を制御することにより、該接続された送信ノード（Ａ）から隣接するノード（Ｂ）に情報が自動的に伝達され、第１の出力パワー又は変調信号振幅は、前記ノード（Ｂ）により受信された第１の光パワーに対応し、該第１の光パワー又は変調信号振幅は、閾値より低くて第１の論理レベルに対応し、第２の出力パワー又は変調信号振幅は、前記ノード（Ｂ）により受信された第２の光パワー又は変調信号振幅に対応し、該第２の光パワー又は変調信号振幅は、前記閾値を超えて第２の論理レベルに対応する、方法。
【発明の詳細な説明】
【技術分野】
【０００１】
本発明は、光学ポートを備えるノードを有するネットワークで信号伝達するための方法及び構成に関する。本発明は、光パワーの出力又は変調信号をオンオフすることを用いて、例えば、ノード内のレーザーの出力パワー又は変調信号振幅を制御することにより、ノードの送信ポートから情報を得ることを可能にするため、ノードの受信ポートで信号損失検出のための論理を使用する。特に、本発明は、トポロジー的情報を送信するため使用することができる。
【背景技術】
【０００２】
リンク層のターミネーションを有するネットワークでは、情報の交換は、トポロジーに関する自動制御が達成されるように、なされる。しかし、透明な光学ノード、例えばクロスコネクターの使用は、問題を孕んでいる。完全に光学式及び電子光学式のノードは、それらの送信ポートにリンク層ターミネーションを持つことができないからである。従って、リンク層が無い場合、新しいノードを接続するときネットワーク内のトポロジーを自動的に検出する本質的な方法、及び、トポロジー情報をフォールトトレースするための本質的な方法は存在しない。全てのトポロジー的情報は、手作業で特定化されなければならない。
【０００３】
本発明は、互いのデータチャンネルへのアクセスを持っておらず、互換性のあるリンク層プロトコルが設けられていない、光学的装備の間の情報の伝達を提供するという問題を解決する。
【０００４】
本発明は、信号検出、例えば信号損失検出のための論理を利用することによりその問題を解決する。これは、しばしば、「信号の損失」（ＬＯＳ）と称されており、ノードの受信器内で突き止められる。当該論理は、情報を伝達するため使用される２つの論理レベルを有する。
【０００５】
信号損失検出法は、通常、壊れたファイバー又は送信器を検出するため使用され、光パワー又は変調信号振幅を検出することができる。信号損失検出法は、変調信号の特性、即ちビットレート等を決定することができず、そのような変調信号が存在するということだけを決定することができる。本願発明者らは、光パワーの出力又は変調信号をオンオフすることにより、ノード間の従来のチャンネルの外部に新規な通信チャンネルが形成され、情報、例えばトポロジー情報を隣接するノードへと送ることができることを見出した。
【０００６】
信号損失検出法が、光学ポートを備えた事実上全ての装備で使用されるとき、本発明は、幅広い範囲の設備型式又はそれらの間にある設備型式のために使用することができる。
【発明の開示】
【課題を解決するための手段】
【０００７】
本発明は、例えば光学クロスコネクター等の、光学ポートを用いて互いに接続されたノードを備えるネットワークで信号伝達するための方法を開示する。ノードは、例えば、信号損失検出のための受信ポートと、出力された光パワー又は変調信号をオンオフすることができる送信ポートと、を備える。送信ポートは、例えばオンオフすることができるレーザーを備えることができるが、他の光源を使用することができ、光パワー又は変調信号振幅を変化させるため制御することができることが理解されるべきである。
【０００８】
本発明は、上記した問題への解答を提供する。該解答は、例えば、信号損失の検出及びパワー又は変調制御の実行のための論理を用いた管理又はトポロジー情報等の、情報の伝達を含んでいる。本発明の論理は、信号損失を検出し、パワー又は変調制御を実行するため、データ通信用のデータチャンネルを介して外部に用意されている。本発明を用いて、ネットワークに新しいノードを接続するときネットワークのトポロジーを自動的に検出することができ、トポロジー情報をエラートレースすることができる。
【０００９】
本発明の実施例によれば、情報は、レーザーを制御することにより、例えば、放射された光の強度又は変調信号振幅を制御することにより送られる。かくして、送信ノードのレーザーをオンオフすることによって情報を送ることができる。オフにされたレーザーは、所定の論理レベルに対応し、オンにされたレーザーは別の論理レベルに対応する。
【００１０】
更には、本発明は、信号損失検出並びに光パワー又は変調制御の実行のための各々の手段を有する光ポートが設けられたノードを備えるネットワークで信号伝達するための方法及び構成に関する。
【００１１】
本発明は、信号損失検出並びに光パワー又は変調制御の実行のための各々の手段を有する光ポートが設けられたノードを備えるネットワークのノードのポートへの接続に関する。管理又はトポロジー情報は、送信ノードのポートの出力された光パワー又は変調を制御することによって、送信ノードから隣接するノードへと自動的に送ることができる。ここで、第１の出力光パワー又は変調信号振幅は、上記隣接するノードにより受信された第１の光パワー又は変調信号振幅に対応する。該第１の光パワー又は変調信号振幅は閾値より低く、第１の論理レベルに対応する。ここで、第２の出力パワー又は振幅は、上記隣接するノードにより受信された第２の光パワー又は振幅に対応する。該第２の光パワーは、上記閾値を超え、第２の論理レベルに対応する。
【００１２】
情報は、ネットワークのトポロジーが変化するとき、例えば、ノードがネットワークに接続されるとき送信されるのが好ましい。信号損失検出並びにレーザー制御の実行のための手段は、上記ノード間のデータ通信を提供するデータチャンネルを介して外部に用意されるのが好ましい。
【００１３】
当該情報は、ノード同定番号、ポート番号、ＩＰ番号及びＩＰポート番号を含むトポロジー情報を含むのが好ましい。ノード及びポートは、本方法に従って接続することができる。
【００１４】
本発明は、ネットワークで信号伝達するための対応する構成、並びに、対応するノード及びクロスカウンターにも関する。
【実施例】
【００１５】
以下、本発明を添付図面を参照して説明する。
本発明は、概して、光学ポートが設けられたノードを有するネットワークで使用され、特殊な場合におけるノードは、光学式クロスコネクターから構成される。図１では、２つのノードＡ及びＢが示されており、これらのノードは接続されるべきである。ここでは、ノードの残りの接続が無視されている。
【００１６】
以下、本発明を、光学式ポートを有するノード及び光学式クロスコネクターを参照して説明する。しかし、本発明は、これらの装置に限定されるものではなく、信号損失を検出するための手段を有する光学的設備を備える任意のネットワークで実施することができる。そのような設備は、例えば、ＷＤＭベースの装置（ＷＤＭ、波長分割マルチプレクサー技術）、ＳＤＨ装置（ＳＤＨ、同期デジタルヒエラルキー）、及び、ＡＴＭ装置（ＡＴＭ，同期輸送モード）、ＩＰ装置等々であってもよい。
【００１７】
更には、本発明を、ノードのレーザーをオンオフする工程を参照して説明する。しかし、光パワーの出力又は変調信号の変動を提供するため、他の光源を使用し、制御することもできる。異なる変調もまた可能である。例えば、パルス振幅変調や、パルス位置変調等が挙げられる。
【００１８】
各ノードは、ノードの機能を制御する制御システム１を有する。ノードは、幾つかの送信ポート（Ｔｘ）２と、幾つかの受信ポート（Ｒｘ）３とを有する。これらのポートの間の情報交換は、クロスコネクター４によりノード内で切り替えられる。これらのノードは、光ファイバー５を用いて互いに接続される。ノードからの情報は、ノード内に備えられる１つ又は幾つかのレーザーから放射光又は変調信号振幅の強度を制御することにより、伝達される。
【００１９】
クロスコネクター４は、完全に光学式か又は電子光学式とすることができる。電子光学式のクロスコネクターは、電気的ターミネーションを有する。即ち、光学式入力信号が検出され、レーザーを用いた光学信号として、内部で切り替えられ、送信される電気的信号へと変換される。レーザービームは、通常の仕方で情報を送信するため変調される。電子光学式クロスコネクターでは、入力信号が存在するか否かを検出することが簡単である。完全に光学式のクロスコネクターでは、信号は、別個の電気的ターミネーションで、偏向され、測定されることが要求される。
【００２０】
更には、各受信器は、信号検出のための論理を備える。光学的に受信されたパワー又は変調信号の振幅の値に応じて、２つの値を適合することができる。入力ポートで光学的に受信したパワーの中間値が、一定の閾値を超えた場合、論理値は、ＳＤ＝真値となる。入力ポート上での光パワーの中間値が当該閾値より小さい場合、論理値は、ＳＤ＝偽値となる。本発明で使用されているものはこの論理である。真値＝１及び偽値＝０(逆もまた成立)を設定することにより、データは、光パワー又は変調信号を、例えばノードのレーザーを制御することでオンオフすることにより、隣接する２つのノードの間で転送することができる。ＳＤ機能のタイムスケールが１００μ秒のオーダーであるので、これは、光学ポートに亘る通常のナノ秒の通信を混乱させない。
【００２１】
換言すれば、伝達ノードのレーザーがオフとなった場合、光パワー又は変調信号がゼロであり、受信器でのＳＤ＝偽値は、ゼロを送信することに対応する。しかし、レーザー又はポートのパワー又は変量を、閾値より小さい受信パワーを提供するため、減少することもできる。レーザーの光パワー又は変調信号がオンとなった場合、光パワー又は変調信号は、（伝達距離により、あまり多くは減衰せず、即ち、ファイバーが機能することを仮定した場合）閾値より高くなり、、これにより、ＳＤ＝真値となり、これは１を送信することに対応する。データ速度及びコードプロトコルは、前もって決定されなければならない。次に、この態様で情報をポート間で送ることができる。
【００２２】
図２に示されるように、各ノードは、ノードを同定するため、及び、ネットワークのトポロジーを記述するため、使用することができる情報を同定した。該情報は、通常、ノード同定番号、ポート番号、ＩＰ番号及びＩＰポート番号である。ノードＡに対して、ノード同定番号はＩＤ＝３、ＩＰ番号はＩＰ＝１０．１０．１．１３、ＩＰポート番号はＩＰ−ＰＯＲＴ＝１２３４である。これらのポートは、夫々のポートに対して連続的に番号が付けられている。
【００２３】
この情報は、ファイバーのネットワークでトポロジーを自動的に決定し、後にＩＰに関する通信を開始するのに十分である。
要求された唯一の事項は、ビットの流れから読み書き文字のためのインターフェースが存在し、例えば、ビットの流れから読み書き８ビット文字のためのインターフェースが存在するということである。文字テーブルとして、標準的なＡＮＳＩが使用される。
【００２４】
文字の流れは、例えばＸＭＬコード文字に対して解釈される。ＸＭＬでは、タグが次の通り予め決定されている。
＜ＮＯＤＥ＿ＩＤ＞１３＜／ＮＯＤＥ＿ＩＤ＞
＜ＮＯＤＥ＿ＴＸＰＯＲＴ＞２＜／ＮＯＤＥ＿ＴＸＰＯＲＴ＞
＜ＩＰ＿ＡＤＤＲＥＳＳ＞１０．１０．１．１３＜／ＩＰ＿ＡＤＤＲＥＳＳ＞
＜ＩＰ＿ＰＯＲＴ＞１２３４＜／ＩＰ＿ＰＯＲＴ＞
【００２５】
図２では、ノードＡの送信ポート（Ｔｘ２）２が、ノードＢの受信ポート（Ｒｘ４）３に接続される状態が示されている。ノードＡの制御システムは、上述したように、光パワー又は変調信号をオンオフにすることにより情報を伝達するため送信ポートＴｘ２の送信レーザーを指令する。情報は、矢印６により示されるようにファイバー５を介して送信される。ノードＢの受信ポートＲｘ４は、信号を検出し、送信ノードＡからの情報を抽出する。これにより、信号伝達が完了し、検出ノードは、送信ノードが如何にそれらに接続されているか、ＩＰに関して新しいノードと如何に情報を連絡することができるかに関するトポロジー情報を受信したことになる。
【００２６】
完全に新しいノードを接続するとき、ノードは、接続されるべき各ポートに対して上記方法を横断する。上述した方法は、シリアルで、即ち一度に一つのポートに対して実行することができる。又は、パラレルで、即ち一度に全てのポートに対して実行することができる。
【００２７】
図３ａは、光ファイバーを用いることにより受信ノードＢに接続される送信ノードＡを示している。送信ノードＡは、データチャンネルの外部に情報を送信するため出力パワー又は変調信号の制御を使用する、少なくとも１つの光学ポートを有する。可能となる信号損失検出機能は図示されていない。信号損失チャンネルは、信号損失検出器を決定するため、データチャンネルの光パワー又は変調信号を使用する。信号損失検出の通信が使用されるとき、通常のデータチャンネルを使用することができなくなる。出力パワー又は変調信号をオフにすることは、このチャンネルを遮蔽することになるからである。
【００２８】
通常のデータチャンネル通信と、信号損失検出の通信との間の差異を示す２つの時間スケールは、図３ｂに示されている。上側の時間スケールは、Ｇｂ／ｓ範囲にあるビットレートの場合の通常のデータチャンネルの時間グラフを示し、下側の時間スケールは、ｋｂ／ｓの範囲にあるビットレートの場合の信号損失検出通信の時間グラフを示している。上側グラフの第１の部分は、オンにされたパワー又は変調信号に対応し、下側のグラフでは、受信ノードＢにおける信号検出を引き起こす。上側グラフの第２の部分は、オフにされたパワー又は変調信号に対応し、下側のグラフでは、受信ノードＢにおける信号損失検出を引き起こす。
【００２９】
このようにして、本発明は、通常のリンク層ターミネーションが存在しないノードを有する光学ネットワークで使用することができる、情報、例えばトポロジー情報の自動伝達のための方法及び構成を提供する。
【００３０】
(例)
一般的な自動回路切り替え式ネットワークでは、作業トラフィックがネットワークで送信される前に、４つのステップが実行される。第１に、ネットワーク内のノードは、それらの近傍のノード及びそれらが共通に持っているリンクを検出する。第２に、各ノードにより検出された情報は、ネットワーク内の他の全てのノードに、それらにトポロジー情報を提供するため分配される。第３に、トポロジー情報が全てのノードに利用可能であるとき、各ノードは、接続のためのリクエストにおいて、要求された回路のためのルート設定手順を作ることができる。第４に、ルート設定手順は、必要となるリソースを割り当てるため信号伝達される。かくして、そのようなネットワークでは、これらの４つのステップは、データがネットワーク内で伝達される前に実行される。隣接するノードの検出は、データ送信前に実行されるので、本発明は、隣接するノードの検出の間、データ送信が利用可能でなかったとしても機能することができる。
【００３１】
しかし、中央処理型自動回路切り替え式ネットワークでは、上述のように実行することができるが、最後の３つのステップは、通信が中央の管理システムでなすことができる点で異なっている。
【図面の簡単な説明】
【００３２】
【図１】図１は、接続されるべき２つのノードの概略図を示す。
【図２】図２は、影響されるポート及び情報の流れを示す、対応図である。
【図３ａ】図３ａは、光ファイバーを用いて互いに接続された２つのノードを概略的に示す。
【図３ｂ】図３ｂは、通常のデータチャンネル通信と、信号損失検出の通信との間の差異を示す２つの時間スケールを示す。
【図１】
2005519492.tif 000003
【図２】
2005519492.tif 000004
【図３ａ】
2005519492.tif 000005
【図３ｂ】
2005519492.tif 000006
【手続補正書】
【提出日】平成16年3月15日(2004.3.15)
【手続補正１】
【補正対象書類名】特許請求の範囲
【補正対象項目名】全文
【補正方法】変更
【補正の内容】
【特許請求の範囲】
【請求項１】
信号検出のための各々の論理とオンオフすることができるレーザーとを有する光学ポート（２，３）が設けられたノード（Ａ，Ｂ）を備えるネットアークで信号伝達するための方法であって、
送信ノード（Ａ）のレーザーをオンオフすることにより隣接するノード（Ｂ）に情報が伝達され、オフにされたレーザーは、閾値より低い、所定の論理レベルに対応する光パワーを提供し、オンにされたレーザーは、前記閾値を超える、別の論理レベルに対応する光パワーを提供し、
前記信号検出の論理は、前記ノード（Ａ，Ｂ）間のデータ通信を提供するデータチャンネルを介して外部に用意されている、方法。
【請求項２】
信号損失検出並びに光出力パワー又は変調信号振幅の制御を行う手段を各々有する光学ポート（２，３）が設けられたノード（Ａ，Ｂ）を有するネットワークで信号伝達するための方法であって、
前記ネットワークのトポロジーが変化したとき、送信ノード（Ａ）のポートの出力パワー又は変調信号振幅を制御することにより、該送信ノード（Ａ）から隣接するノード（Ｂ）に情報が自動的に伝達され、第１の出力パワー又は変調信号振幅は、前記隣接するノード（Ｂ）により受信された第１の光パワー又は変調信号振幅に対応し、該第１の光パワー又は変調信号振幅は、閾値より低くて第１の論理レベルに対応し、第２の出力パワー又は変調信号振幅は、前記隣接するノード（Ｂ）により受信された第２の光パワー又は変調信号振幅に対応し、該第２の光パワー又は変調信号振幅は、前記閾値を超えて第２の論理レベルに対応する、方法。
【請求項３】
前記信号損失検出並びに光出力パワー又は変調信号振幅の制御を行う前記手段は、前記ノード（Ａ，Ｂ）の間でデータ通信を提供するデータチャンネルを介して外部に用意されている、請求項２に記載の方法。
【請求項４】
前記情報は、バイトの符号化を使用することにより伝達される、請求項１乃至３のいずれか１項に記載の方法。
【請求項５】
前記情報は、トポロジー情報を含んでいる、請求項１乃至４のいずれか１項に記載の方法。
【請求項６】
前記トポロジー情報は、ノード同定番号、ポート番号、ＩＰ番号及びＩＰポート番号を含んでいる、請求項５に記載の方法。
【請求項７】
ノード（Ａ）のポート（２，３）をネットワークに接続して、該ネットワークが、信号検出のための各々の論理とオンオフすることができるレーザーとを有する光学ポート（２，３）が設けられたノード（Ａ，Ｂ）を備えるようにする方法であって、
送信ノード（Ａ）のレーザーをオンオフすることにより隣接するノード（Ｂ）に情報が伝達され、オフにされたレーザーは、閾値より低い、所定の論理レベルに対応する光パワーを提供し、オンにされたレーザーは、前記閾値を超える、別の論理レベルに対応する光パワーを提供し、
前記信号検出の論理は、前記ノード（Ａ，Ｂ）間のデータ通信を提供するデータチャンネルを介して外部に用意されている、方法。
【請求項８】
情報は、バイトの符号化を使用することにより伝達される、請求項７に記載の方法。
【請求項９】
前記情報は、トポロジー情報を含んでいる、請求項７又は８に記載の方法。
【請求項１０】
前記トポロジー情報は、ノード同定番号、ポート番号、ＩＰ番号及びＩＰポート番号を含んでいる、請求項９に記載の方法。
【請求項１１】
ノード（Ａ）のポート（Ｔｘ２）をネットワークに接続して、該ネットワークが、信号損失検出並びに光出力パワー又は変調信号振幅の制御を行う手段を各々有する光学ポート（２，３）が設けられたノード（Ａ，Ｂ）を備えるようにする方法であって、
前記ノード（Ａ）が接続されたとき、該接続されたノード（Ａ）のポートの出力パワー又は変調信号振幅を制御することにより、該接続された送信ノード（Ａ）から隣接するノード（Ｂ）に情報が自動的に伝達され、第１の出力パワー又は変調信号振幅は、前記ノード（Ｂ）により受信された第１の光パワーに対応し、該第１の光パワー又は変調信号振幅は、閾値より低くて第１の論理レベルに対応し、第２の出力パワー又は変調信号振幅は、前記ノード（Ｂ）により受信された第２の光パワー又は変調信号振幅に対応し、該第２の光パワー又は変調信号振幅は、前記閾値を超えて第２の論理レベルに対応する、方法。
【請求項１２】
前記信号損失検出並びに光出力パワー又は変調信号振幅の制御を行う前記手段は、前記ノード（Ａ，Ｂ）の間でデータ通信を提供するデータチャンネルを介して外部に用意されている、請求項１１に記載の方法。
【請求項１３】
前記情報は、バイトの符号化を使用することにより伝達される、請求項１１又は１２に記載の方法。
【請求項１４】
前記情報は、トポロジー情報を含んでいる、請求項１１乃至１３のいずれか１項に記載の方法。
【請求項１５】
前記トポロジー情報は、ノード同定番号、ポート番号、ＩＰ番号及びＩＰポート番号を含んでいる、請求項１４に記載の方法。
【請求項１６】
ノードをネットアークに接続して、該ネットワークが、信号検出のための各々の論理とオンオフすることができるレーザーとを有する光学ポート（２，３）が設けられたノード（Ａ，Ｂ）を備えるようにする方法であって、
接続されているノードの各ポートは、請求項７乃至１０のいずれか１項に記載の方法に従って接続されている、方法。
【請求項１７】
ノード（Ａ）をネットワークに接続して、該ネットワークが、信号損失検出並びに光出力パワー又は変調信号振幅の制御を行う手段を各々有する光学ポート（２，３）が設けられたノード（Ａ，Ｂ）を備えるようにする方法であって、
接続されているノードの各ポートは、請求項１１乃至１５のいずれか１項に記載の方法に従って接続されている、方法。
【請求項１８】
信号検出のための各々の論理とオンオフすることができるレーザーとを有する光学ポート（２，３）が設けられたノード（Ａ，Ｂ）を備えるネットアークで信号伝達するための構成であって、
送信ノード（Ａ）のレーザーをオンオフすることにより隣接するノード（Ｂ）に情報が伝達され、オフにされたレーザーは、閾値より低い、所定の論理レベルに対応する光パワーを提供し、オンにされたレーザーは、前記閾値を超える、別の論理レベルに対応する光パワーを提供し、
前記信号検出の論理は、前記ノード（Ａ，Ｂ）間のデータ通信を提供するデータチャンネルを介して外部に用意されていることを特徴とする、構成。
【請求項１９】
信号損失検出並びに光出力パワー又は変調信号振幅の制御を行う手段を各々有する光学ポート（２，３）が設けられたノード（Ａ，Ｂ）を有するネットワークで信号伝達するための構成であって、
送信ノード（Ａ）の前記光学ポート（２）は、前記ネットワークのトポロジーが変化したとき、送信ノード（Ａ）のポートの出力パワー又は変調信号振幅を制御することにより、隣接するノード（Ｂ）に情報を送信するように構成され、第１の出力パワー又は変調信号振幅は、前記隣接するノード（Ｂ）により受信された第１の光パワー又は変調信号振幅に対応し、該第１の光パワー又は変調信号振幅は、閾値より低くて第１の論理レベルに対応し、第２の出力パワー又は変調信号振幅は、前記ノード（Ｂ）により受信された第２の光パワー又は変調信号振幅に対応し、該第２の光パワー又は変調信号振幅は、前記閾値を超えて第２の論理レベルに対応することを特徴とする、構成。
【請求項２０】
前記信号損失検出並びに光出力パワー又は変調信号振幅の制御を行う前記手段は、前記ノード（Ａ，Ｂ）の間でデータ通信を提供するデータチャンネルを介して外部に用意されていることを特徴とする、請求項１９に記載の構成。
【請求項２１】
前記光学ポート（２，３）は、バイトの符号化を使用する符号化プロトコルを有する、請求項１８乃至２０のいずれか１項に記載の構成。
【請求項２２】
前記情報は、トポロジー情報を含んでいることを特徴とする、請求項１８乃至２１のいずれか１項に記載の構成。
【請求項２３】
前記トポロジー情報は、ノード同定番号、ポート番号、ＩＰ番号及びＩＰポート番号を含んでいることを特徴とする、請求項２２に記載の構成。
【請求項２４】
請求項１８乃至２３のいずれか１項に記載の構成で使用するためのノード。
【請求項２５】
請求項１８乃至２３のいずれか１項に記載の構成で使用するためのクロスコネクター。
【国際調査報告】
2005519492.tif 000007
2005519492.tif 000008